(57)【要約】 【課題】従来肥料を落下させ散布するタイプの肥料散布機において、片側散布、両側散布が可能な構成のものは、構造が複雑で１つのシャッター板開閉手段又は１つの電動作動装置により散布量を調節することができない問題点があった。【解決手段】フレーム１と、フレーム１に固定され底面２１に複数肥料落下口２２を設けたホッパー２と、ホッパー底面２１に摺動して肥料落下口２２を開閉可能な複数のシャッター板３と、それぞれのシャッター板３を走行方向左右に開閉させるようにシャッター板３に係脱自在に係合される回動アーム４と、回動アーム４を回動させるシャッター板開閉手段５と、操縦席から操作可能位置に回動アーム４とシャッター板３との係合状態の係脱切換え動作を行う切換え手段６とを有する肥料等の散布機による。【選択図】  図２
2007215523.tif 000002
【特許請求の範囲】
【請求項１】
フレームと、フレームに固定され底面に複数肥料落下口を設けたホッパーと、ホッパー底面に摺動して肥料落下口を開閉可能な複数のシャッター板と、それぞれのシャッター板を走行方向左右に開閉させるようにシャッター板に係脱自在に係合される回動アームと、回動アームを回動させるシャッター板開閉手段と、操縦席から操作可能位置に回動アームとシャッター板との係合状態の係脱切換え動作を行う切換え手段とを有することを特徴とする肥料等の散布機。
【請求項２】
フレームと、フレームに固定され左右に長い底面に複数肥料落下口を設けたホッパーと、ホッパー底面に摺動して肥料落下口を開閉可能な左右分割される２つのシャッター板と、それぞれのシャッター板を走行方向左右に開閉させるようにシャッター板に係脱自在に係合される左右の回動アームと、左右の回動アームを回動させる１つのシャッター板開閉手段と、操縦席から操作可能位置に左右の回動アームとシャッター板との係合状態の係脱切換え動作を行う切換え手段とを有し、
それぞれ回動アームは、回動板とシャッター板係合部とからなり、それぞれの回動板は連結ロッドで連結されてシャッター板開閉部の作動により同時に回動するとともに、それぞれのシャッター板係合部はそれぞれの切換え手段により、それぞれのシャッター板の係合突起とそれぞれ独立して係脱自在であり、
シャッター板開閉手段の作動により左右のシャッター板を同時に開閉可能であるとともに、切換え手段により左右の選択する一方のシャッター板のみを開閉することが可能であることを特徴とする肥料等の散布機。
【請求項３】
回動アームが、回動板とシャッター板係合部とからなり、シャッター板係合部が、シャッター板の下方に突設された係合突起を左右両側から挟持するような左右挟持部からなるコ字状体からなるとともに、左右の挟持部の一つが上下に回動可能で他の一つが回動板に固定されている請求項１又は請求項２に記載の肥料等の散布機。
【請求項４】
シャッター板開閉手段が、１つの電動作動装置を有するシャッター板開閉手段である請求項１又は請求項２又は請求項３に記載の肥料等の散布機。
【発明の詳細な説明】
【技術分野】
【０００１】
この発明は、トラクタの後部に装着して圃場に石灰等の土壌改良材や化学肥料等を散布するライムソワー、すなわち肥料等の散布機に関する。詳細には肥料を落下させて散布するタイプの肥料等の散布機に関する。この明細書、特許請求の範囲、要約書において使用する「肥料」という単語は、石灰等の土壌改良材、化学肥料、その他の有機肥料を含む意味で使用する。
【背景技術】
【０００２】
肥料等の散布機は、トラクタの後部に装着されて牽引されつつ圃場に石灰等の土壌改良材や化学肥料等を散布する装置であり、一般的にホッパー等に入れた石灰等の土壌改良材や化学肥料を、ホッパー底面に設けられた孔から圃場に落下させていた。
【０００３】
通常ホッパー本体の底面に設けられた多数の散布孔と、その底面とスライド可能で多数のスライド孔を有するスライド板を設け、ホッパー底面の散布孔とスライド板のスライド孔を合致させることにより石灰等の土壌改良材の散布が可能になり、又散布孔をスライド板面で狭くしたり塞ぐことにより散布量を変化させたり散布を停止させていた。
【０００４】
例えば、実公平５−４１６０９号公報（従来技術１）には、「ホッパーａと、左右のシャッター３ａ、３ｂと、各別に作動アーム４ａ、４ｂを連繋し、それら作動アームを各別に作動させる左右のシフトアーム６ａ、６ｂと、操作杆ｄ、規制板ｇ、規制板ｇに設けられる左右及び中央のガイド溝７ａ、７ｂ、７ｃ」等を有する肥料散布機の記載がある。
【０００５】
そして従来技術１の「左右のシャッター３ａ、３ｂ」の開閉作動は、第６図にあるように「規制板ｇの左右及び中央のガイド溝７ａ、７ｂ、７ｃ」に一本の「操作杆ｄ」を「傾斜回動」又は直立させて、左右のシフトアーム６ａ、６ｂを回動させ作動アーム４ａ、４ｂを回動させそれに連結する左右のシャッター３ａ、３ｂが個々に開閉する構成である。
【０００６】
また、特開平１１−１２７６４７号公報（従来技術２）の肥料散布機には、「フレーム１、ホッパー２、底板７の固定散布孔８、左右のシャッター板１０ＬＲの可動散布孔１１、操作レバー３等」を有し、操作レバー３に連結するロッド１４、ロッド１４に連結し左右に長いリンク１５、左右に対称に配置した一対のクランク１６、１６により左右のシャッター板１０Ｌ、１０Ｒを作動している構造の開示がある。
【０００７】
更に、実公平８−３２３０号公報（従来技術３）には「肥料等をアジテーター６にて繰り出す肥料散布機において、ホッパー５の底板５ｂ下面に、手動のハンドル２４により左右に摺動する散布量調節シャッター１５を設け、該散布量調節シャッター１５の下面に開閉シャッター１６を配置し、該開閉シャッター１６は遠隔操作可能な駆動モーター３０の回転により上下方向に回動され、散布量調節シャッター１５の落下孔１５ａを下方から閉鎖すべく構成したことを特徴とする肥料散布機のシャッター」の開示がある。
【特許文献１】実公平５−４１６０９号公報（従来技術１）
【特許文献２】特開平１１−１２７６４７号公報（従来技術２）
【特許文献３】実公平８−３２３０号公報（従来技術３）
【発明の開示】
【発明が解決しようとする課題】
【０００８】
従来技術１及び２には、散布孔を有し左右長手方向に長い底面を有するホッパーの底面に左右にスライドして個々に移動可能なシャッター板を有する肥料散布機の開示がある。しかし従来技術１の「左右のシャッター３ａ、３ｂ」の開閉作動は、第６図にあるように「規制板ｇの左右及び中央のガイド溝７ａ、７ｂ、７ｃ」に一本の「操作杆ｄ」を「傾斜回動」又は直立させて行い左右のシャッター３ａ、３ｂが個々に開閉する構成であるため、構造が複雑となり製造コストが嵩むという課題があった。
【０００９】
更に従来技術１は、左右のシャッター３ａ、３ｂを作動させる２つの作動アーム４ａ、４ｂを回動させるために、それぞれ２つのシフトアーム６ａ、６ｂが連結が必要であった。そのため、電動作動装置を取り付け電動作動装置による作動を選択する場合は、２つの電動作動装置が必要になり高価となり作業が複雑になる欠点があった。
【００１０】
また、従来技術２は、「操作レバー３に連結するロッド１４、ロッド１４に連結し左右に長いリンク１５、左右に対称に配置した一対のクランク１６、１６により左右のシャッター板１０Ｌ、１０Ｒ」が互いに逆側に開閉する。そして、片側散布する場合は、シフトレバー１９を切換えて散布しない側のアーム部１６０の遊端側を嵌合凹部１９１に嵌合させて左右に動かないようにし、散布する側のみを左右に動かして行う構成である。しかし従来技術２の「切換え機構」は、操縦者が操縦席より降りて切換え作業をする必要があるとともに、リンク部分が複雑でリンク節も多く、各リンク節部のガタツキ等から操作レバー３のレスポンスも劣り、シャッター開度量の調節にも誤差が生じやすい等の問題があった。
【００１１】
更に従来技術３の「肥料散布機のシャッター」は、「手動のハンドル２４により左右に摺動する散布量調節シャッター１５」のため、作業者は操縦席から降りて散布量調節の作業を行う必要があるとともに、作業が手作業であり散布量の調整などに困難性があった。また散布量調節シャッター１５が分割された構成でないため、片側散布は、右又は左の開閉シャッター１６を開閉して行う必要があった。
【課題を解決するための手段】
【００１２】
上記課題を解決するため、フレームと、フレームに固定され底面に複数肥料落下口を設けたホッパーと、ホッパー底面に摺動して肥料落下口を開閉可能な複数のシャッター板と、それぞれのシャッター板を走行方向左右に開閉させるようにシャッター板に係脱自在に係合される回動アームと、回動アームを回動させるシャッター板開閉手段と、操縦席から操作可能位置に回動アームとシャッター板との係合状態の係脱切換え動作を行う切換え手段とを有することを特徴とする肥料等の散布機を提案する。
【００１３】
また、フレームと、フレームに固定され左右に長い底面に複数肥料落下口を設けたホッパーと、ホッパー底面に摺動して肥料落下口を開閉可能な左右分割される２つのシャッター板と、それぞれのシャッター板を走行方向左右に開閉させるようにシャッター板に係脱自在に係合される左右の回動アームと、左右の回動アームを回動させるシャッター板開閉手段と、操縦席から操作可能位置に左右の回動アームとシャッター板との係合状態の係脱切換え動作を行う切換え手段とを有し、
それぞれ回動アームは、回動板とシャッター板係合部とからなり、それぞれの回動板は連結ロッドで連結されてシャッター板開閉部の作動により同時に回動するとともに、それぞれのシャッター板係合部はそれぞれの切換え手段により、それぞれのシャッター板の係合突起とそれぞれ独立して係脱自在であり、
シャッター板開閉手段の作動により左右のシャッター板を同時に開閉可能であるとともに、切換え手段により左右の選択する一方のシャッター板のみを開閉することが可能であることを特徴とする肥料等の散布機を提案する。
【００１４】
更に、回動アームが、回動板とシャッター板係合部とからなり、シャッター板係合部が、シャッター板の下方に突設された係合突起を左右両側から挟持するような左右挟持部からなるコ字状体からなるとともに、左右の挟持部の一つが上下に回動可能で他の一つが回動板に固定されている００１２欄又は００１３欄に記載の肥料等の散布機を提案する。
【００１５】
また、シャッター板開閉手段が、電動作動装置を有するシャッター板開閉手段である００１２欄又は００１３欄又は００１４欄に記載の肥料等の散布機を提案する。
【発明の効果】
【００１６】
この発明によれば、左右のシャッター板が、一つのシャッター板開閉手段の作動によって同時及び左右それぞれのシャッター板の開閉が行われるため、シャッター板開閉の作動が非常に操作しやすいとともに、その作動を電動作動装置によって行う場合、１つの電動作動装置を取り付ければよいので安価容易に製造ができるという効果がある。また、構造が簡単なため、保守メンテナンスが容易であり、製造コストを軽減することができる効果がある。
【００１７】
また、請求項３の発明によれば、電動作動装置を含むシャッター板開閉手段によるシャッター板の誤作動による移動、それに伴う散布口の開口を防ぐことができる効果があるとともに、再係合がし易いという効果がある。
【発明を実施するための最良の形態】
【００１８】
この発明の実施形態について図１乃至図１０に基づいて説明する。図１はこの発明の実施形態の肥料散布機を走行機側から見た一部切欠正面図、図２は同じく側面図、図３は同じく側面切欠図、図４は図１のＡ矢視図であり要部拡大図、図５は同じくシャッター板の閉鎖状態を示す底面図、図６は同じくシャッター板の開放状態を示す底面図、図７は同じくシャッター板開閉手段が電動作動装置を有する第２実施形態の側面図、図８は第２実施形態の正面図、図９は第２実施形態の作動説明図、図１０は第２実施形態のシャッター開度制御装置の回路図である。
【００１９】
この発明の一つの実施形態である第１実施形態について、図１乃至図６に基づいて説明する。この発明の第１実施形態に係る肥料等の散布機は、図示しないトラクタ等の走行機の後部に装着可能なフレーム１と、フレーム１に固定され底面２１に複数肥料落下口２２を設けたホッパー２と、ホッパー底面２１に摺動して肥料落下口２２を開閉可能な複数のシャッター板３と、それぞれのシャッター板３を走行方向左右に開閉させるようにシャッター板３に係脱自在に係合される回動アーム４と、回動アーム４を回動させるシャッター板開閉手段５と、操縦席から操作可能位置に設けられ回動アーム４とシャッター板３との係合状態の係脱切換え動作を行う切換え手段６とを有している。
【００２０】
フレーム１は、ロアピン１０、トップリンク１１によってトラクタ等の走行車に装着され、入力軸１２、伝動ケース１３を介してトラクタ等の走行車から動力が伝動され、ホッパー２の内部下部に設けられるアジテータ２５を回転させる。
【００２１】
ホッパー２は、底面２１が走行方向に直交な長手方向を有し、上面に開閉自在なホッパーカバー２３を設けた箱状体であり肥料等の被散布物を収納する。ホッパー底面２１は、多数の肥料落下口２２を長手方向に直線上に設けている。肥料落下口２２の口形状は、シャッター板３の散布口３０との重なり状態で散布量が調整できる幅広から順次幅狭になる口形状である。
【００２２】
シャッター板３（３ａ、３ｂ）は、左右２つの細長い板状体からなり、ホッパー底面２１の下面に接して長手方向中央で分割され、それぞれ摺動可能である。シャッター板３は、長手方向に亘って複数の長方形の散布口３０を直線状に設ける。左右それぞれのシャッター板３ａ、３ｂの中央側に下方に突出する係合突起３１ａ、３１ｂを設けている。係合突起３１は、シャッター板３に固定された棒部３１０と、棒部３１０に回動可能に設けられるローラ部３１１からなる。
【００２３】
回動アーム４は、右回動アーム４ａと左回動アーム４ｂとの２つの部材から成り、それぞれ回動板４０ａ、４０ｂとシャッター板係合部４１ａ、４１ｂとからなるとともに互いの一端同士を連結ロッド４２によって連結される。左右の回動板４０ａ、４０ｂは、それぞれフレーム１本体に固定されているフレームボス１４に各アーム回動軸４３ａ、４３ｂによって回動自在に取り付けられている。左右のアーム回動軸４３ａ、４３ｂは、左右の右シャッター板３ａ、３ｂの中央側で係合突起３１ａ、３１ｂの近傍に配設される。
【００２４】
各シャッター板係合部４１ａ、４１ｂは、シャッター板３ａ、３ｂの下方に突設された係合突起３１ａ、３１ｂのそれぞれを左右両側から挟持するような左右挟持部４１０、４１１からなるコ字状体であり、左右の挟持部４１０、４１１のどちらか一つが上下に回動可能であり、他の一つが回動板４０に固定されている。各シャッター板係合部４１ａ、４１ｂは、それぞれのシャッター板３ａ、３ｂが、その散布口３０をホッパー底面２１の肥料落下口２２を開口する摺動方向側に回動可能な回動挟持部４１１を配設し、ホッパー底面２１の肥料落下口２２を閉鎖する摺動方向側に回動板４０に固定されている固定挟持部４１０を設けている。回動挟持部４１１は、切換え手段６の切換えレバー６０に連通している切換えケーブルワイヤ６１に接続しており、図４に示すように挟持部回動軸４１２を中心に下方へ回動可能である。挟持部回動軸４１２には、戻し用コイルバネ４１３を設けており回動挟持部４１１を上方に回動するように付勢している。
【００２５】
シャッター板開閉手段５は、操縦席から操作可能位置に配設されるシャッター板開閉レバー５０とリンクロッド５１とからなる。シャッター板開閉レバー５０は、フレーム１にレバー回動軸５２によって回動自在に取り付けられており、その先端でリンクロッド５１の一端と回動自在に連結している。リンクロッド５１は、他の端部で１つの回動アーム４、この実施例では右回動アーム４ａの回動板４０ａに回動自在に連結している。
【００２６】
切換え手段６は、操縦席から操作可能位置に配設される左右２つの切換えレバー６０、６０と２本のケーブルワイヤ６１、６１とからなり、それぞれのケーブルワイヤ６１、６１は、切換えレバー６０、６０に一端部で接続し逆端部でそれぞれのシャッター板係合部４１ａ、４１ｂの回動挟持部４１１に回動自在に接続している。
【００２７】
各切換え手段６は、各切換えレバー６０を操作により、各シャッター板係合部４１ａ、４１ｂの回動挟持部４１１を戻り用コイルバネ４１３の付勢力に抗して下方に回動させることができ、その状態ではシャッター板開閉レバー５０を操作して回動アーム４を回動させても、シャッター板３は肥料落下口２２を開口する方向に摺動しない。また逆に切換えレバー６０を戻す操作を行うことにより、シャッター板係合部４１ａ、４１ｂの回動挟持部４１１を戻り用コイルバネ４１３の付勢力によって上方に回動させることができ、固定挟持部４１０と回動挟持部４１１によってシャッター板３の係合突起３１を両側から挟持する。その状態でシャッター板開閉レバー５０を操作し回動アーム４を回動させると、シャッター板３は肥料落下口２２を開口する方向に摺動可能となる。
【００２８】
次に、この発明の第１実施形態について説明すると、操縦席から操作可能位置に設けてある切換えレバー６０、６０の両方、あるいは左右の片方を操作して、シャッター板係合部４１ａ、４１ｂの回動挟持部４１１を下方に回動させた位置にするか、あるいは固定挟持部４１０と対する位置においてシャッター板３ａ、３ｂの係合突起３１ａ、３１ｂを挟持するかを選択する。
【００２９】
シャッター板係合部４１の回動挟持部４１１を下方にした状態であると、回動挟持部４１１が係合突起３１に作用しないため、シャッター板開閉手段５を作動させて、図６のように回動リンク４ａ、４ｂを図面右周りに回動させてもシャッター板３ａ、３ｂは右方向に移動しない。そのため、シャッター板３の散布口３０がホッパー底面２１の肥料落下口２２の位置に重なることがなく、肥料の散布は防止される。したがって、左右どちらかの切換えレバー６０のみを作用させて、一方のシャッター板係合部４１の回動挟持部４１１を下方にすると、シャッター板開閉手段５を作動させても、その側のシャッター板３は移動せず逆側のみ半分の散布となる。
【００３０】
逆にシャッター板係合部４１の回動挟持部４１１を固定挟持部４１０と対する位置においてシャッター板３ａ、３ｂの係合突起３１ａ、３１ｂを挟持した状態でシャッター板開閉手段５を作動させて、図６のように回動リンク４ａ、４ｂを図面右周りに回動させるとシャッター板３ａ、３ｂは右方向に移動して、散布口３０がホッパー底面２１の肥料落下口２２の位置に重なる状態になり、その開口から肥料は散布される。
【００３１】
次にこの発明の他の実施形態である第２実施形態について、図７乃至図１０に基づいて説明する。この発明の第２実施形態に係る肥料等の散布機は、シャッター板開閉手段５が電動作動装置７及びシャッタ開度制御装置８を有する形態であり、その他は第１実施形態の肥料等の散布機と同じ構成である。
【００３２】
電動シャッター板開閉手段５のリンクロッド５１は、一端部で電動作動装置７に連結するとともに他端部で１つの回動アーム４、この実施例では左回動アーム４ｃの回動板４０ｃに回動自在に連結している。
【００３３】
シャッター開度制御装置８は、電気回路を備えており、主電源であるバッテリー８２をＯＮ，ＯＦＦするメインスイッチ８１ａ、シャッター開度設定装置であるシャッター開度設定ダイヤル８１ｂ、シャッター板３の開閉動作を指示するシャッタ開閉スイッチ８１ｃ、シャッタ全閉時に点灯するシャッター全閉ランプ８１ｄを備えたコントロールボックス８１からの電気信号指示により制御回路が作動し電動モータＭを作動させる。コントロールボックス８１は図示されていないがトラクタ操縦席から操作可能位置に配置される。
【００３４】
コントロールボックス８１に設けられたシャッタ開度設定ダイヤル８１ｂを回動させることにより前記シャッター板３のスライド量、つまりシャッター開度を任意に設定することができる。このシャッター開度設定ダイヤル８１ｂを回動させ所望のシャッター開度に設定すると、シャッター開度指示抵抗値をシャッター開度制御装置８へ出力し、電動作動装置７内に設けられている電動モータＭが回動を開始しシャッタギヤプレート７０を回動させる。
【００３５】
このシャッタギヤプレート７０の軸支部にはポテンショメータ７１が設けてあり、シャッタギヤプレート７０の回動にともない電気抵抗値の変位をシャッター開度制御装置８へ出力し、前記シャッタ開度設定ダイヤル８１ｂにより設定されたシャッタ開度指示抵抗値と同じ値になるまで電動モータＭを回動させ、設定開度までシャッター板３がスライドするようになっている。そしてシャッター開度指示抵抗値と同じ値に電動モータＭが回動してシャッター板３が設定開度に達すると。シャッター開度確認ランプ８１ｅが点灯する。
【００３６】
又、コントロールボックス８１に設けられたシャッター開閉スイッチ８１ｃをＯＦＦにするとシャッター板３が開状態となっている場合でも、シャッター開度「０」にすることができる。この時全閉となったことが分かるようシャッタ全閉ランプ８１ｄが点灯するよう設けてある。
【００３７】
コントロールボックス８１には開度設定目盛が設けてあり、前記シャッタ開度設定ダイヤル８１ｂを所望のシャッタ開度となるよう開度設定目盛まで回動させることにより、シャッタ開度指示抵抗値をシャッタ開度制御装置８へ出力し電動モータＭを回動させる。電動モータＭの回動とともにモータギヤ７２が回動し、このモータギヤ７２と噛合するシャッタギヤプレート７０を回動させ、このシャッタギヤプレート７０の軸支部に設けられたポテンショメータ７１がシャッタギヤプレート７０の回動にともない、電気抵抗値を変位させながらシャッタ開度制御装置８へ出力する。
【００３８】
シャッタ開度設定ダイヤル８１ｂから出力されるシャッタ開度指示抵抗値およびポテンショメータ８２から出力される電気抵抗値ｙをシャッタ開度制御装置８内に設けられるＣＰＵ８４により抵抗値比較を行い、シャッタ開側リレー８３ａ又はシャッタ閉側リレー８３ｂが作動し、電動モータＭの回動制御を行う。
【産業上の利用可能性】
【００３９】
この発明は、圃場への肥料等の散布機に利用する価値が高い。
【図面の簡単な説明】
【００４０】
【図１】この発明の実施形態の肥料散布機を走行機側から見た一部切欠正面図
【図２】同じく側面図
【図３】同じく側面切欠図
【図４】図１のＡ矢視図であり要部拡大図
【図５】同じくシャッター板の閉鎖状態を示す底面図
【図６】同じくシャッター板の開放状態を示す底面図
【図７】この発明の第２実施形態であり、シャッター板開閉手段が電動作動装置を有する実施形態の側面図
【図８】同じく第２実施形態の正面図
【図９】同じく第２実施形態の作動説明図
【図１０】同じく第２実施形態のシャッター開度制御装置の回路図
【符号の説明】
【００４１】
１  フレーム
１０  ロアピン
１１  トップリンク
１２  入力軸
１３  伝動ケース
１４  フレームボス
２  ホッパー
２０  ホッパー本体
２１  ホッパー底面
２２  肥料落下口
２３  ホッパーカバー
２４  底面回動軸
２５  アジテーター
３  シャッター板
３０  散布口
３１  係合突起
３１０  棒部
３１１  ローラ部
４（４ａ、４ｂ）  回動アーム
４０（４０ａ、４０ｂ）  回動板
４１（４１ａ、４１ｂ）  シャッター板係合部
４１０  固定挟持部
４１１  回動挟持部
４１２  挟持部回動軸
４１３  戻り用コイルバネ
４２  連結ロッド
４３（４３ａ、４３ｂ）  アーム回動軸
５  シャッター板開閉手段
５０  シャッター板開閉レバー
５１  リンクロッド
５２  レバー回動軸
６  切換え手段
６０  切換えレバー
６１  ケーブルワイヤ  
７  電動作動装置（シャッター板開閉手段）
Ｍ  電動モータ
７０  シャッタギヤプレート
７１  ポテンショメータ
７２  モータギア
８  シャッター開度制御装置
８１ コントロールボックス
８１ａ メインスイッチ
８１ｂ シャッター開度設定ダイヤル
８１ｃ シャッター開閉スイッチ
８１ｄ シャッター全閉ランプ
８２  バッテリー（主電源）
８３ａ シャッタ開側リレー
８３ｂ シャッタ閉側リレー
８４ ＣＰＵ
【図１】
2007215523.tif 000003
【図２】
2007215523.tif 000004
【図３】
2007215523.tif 000005
【図４】
2007215523.tif 000006
【図５】
2007215523.tif 000007
【図６】
2007215523.tif 000008
【図７】
2007215523.tif 000009
【図８】
2007215523.tif 000010
【図９】
2007215523.tif 000011
【図１０】
2007215523.tif 000012